(57)【要約】【課題】建物外部の装飾を大胆に変更できる面状構造体を提供する。【解決手段】ピクセル１とピクセル取付フレーム３とを備える建物外部に配設される面状構造体Ｋであって、ピクセル取付フレーム３は丸棒２を格子状に形成してなるものされ、ピクセル１は透光性または非透光性とされてピクセル取付フレーム３に着脱可能に取り付けられてなるものである。ピクセル１は太陽電池パネルに形成されてもよい。【選択図】図１
2014190003.tif 000002
【特許請求の範囲】
【請求項１】
ピクセルとピクセル取付フレームとを備える建物の外部に配設される面状構造体であって、
前記ピクセル取付フレームが格子状に形成され、
前記ピクセルが前記ピクセル取付フレームに着脱可能に取り付けられてなることを特徴とする面状構造体。
【請求項２】
ピクセルが透光性または非透光性とされてなることを特徴とする請求項１記載の面状構造体。
【請求項３】
ピクセルが太陽電池パネルまたは蓄光パネルに形成されてなることを特徴とする請求項１記載の面状構造体。
【請求項４】
請求項１ないし請求項３のいずれか一項に記載の面状構造体がテラス外縁に配設されてなることを特徴とする住宅。
【請求項５】
請求項１ないし請求項３のいずれか一項に記載の面状構造体がベランダの手摺部に配設されてなることを特徴とする住宅。
【発明の詳細な説明】
【技術分野】
【０００１】
本発明は面状構造体に関する。さらに詳しくは、建物の外部を装飾するための面状構造体に関する。
【背景技術】
【０００２】
従来より、建物の外部を装飾することがなされている。
【０００３】
例えば、特許文献１には、植物が植栽される植栽基盤と、該植栽基盤を保持する植栽基盤保持部とを備える壁面緑化ユニットがカーテンウォール構法の構造物の壁面に沿って設置される壁面緑化構造であって、前記カーテンウォールにおける水平方向に隣り合う方立および該方立面に位置し鉛直方向に隣り合う無目で囲まれた領域には、周縁部が前記方立および前記無目に形成されたガラス溝に嵌め込まれたパネル材が設けられ、前記植栽基盤保持部は、前記パネル材に着脱可能に取り付けられている壁面緑化構造が提案されている。
【０００４】
また、特許文献２には、建物のバルコニーの手摺部に植物を絡ませるとともに、その手摺部の上方に配された導水部から植物に向けて水を滴下させるようにした緑化構造が提案されている。
【０００５】
しかしながら、前記いずれの提案にあっても緑化が主眼であるため、季節に応じて建物の外観装飾を大胆に変更することはできない。
【先行技術文献】
【特許文献】
【０００６】
【特許文献１】特開２０１２−５４０９号公報
【特許文献２】特開２００２−１３８５７１号公報
【発明の開示】
【発明が解決しようとする課題】
【０００７】
本発明はかかる従来技術の課題に鑑みなされたものであって、建物外部の装飾を大胆に変更できる面状構造体を提供することを目的としている。
【課題を解決するための手段】
【０００８】
本発明の面状構造体は、ピクセルとピクセル取付フレームとを備える建物の外部に配設される面状構造体であって、前記ピクセル取付フレームが格子状に形成され、前記ピクセルが前記ピクセル取付フレームに着脱可能に取り付けられてなることを特徴とする。
【０００９】
本発明の面状構造体においては、ピクセルは透光性または非透光性とされる。
【００１０】
本発明の面状構造体においては、ピクセルが太陽電池パネルまたは蓄光パネルに形成されてもよい。
【００１１】
しかして、本発明の面状構造体は、住宅のテラス外縁やベランダの手摺部に配設される。
【発明の効果】
【００１２】
本発明は前記の如く構成されているので、建物外部の装飾を手軽にしかも大胆に変更できるという優れた効果を奏する。
【図面の簡単な説明】
【００１３】
【図１】本発明の一実施形態に係る面状構造体の概略図である。
【図２】同実施形態のピクセル取付フレームの正面図である。
【図３】同ピクセル取付フレームへのピクセルの取付方の一例の概略図である。
【図４】ピクセルをピクセル取付フレームに取り付けている状態の一例の概略図である。
【図５】面状構造体の設置例の一例の概略図である。
【図６】面状構造体の設置例の他の例の概略図である。
【図７】パンチングメタルピクセルの概略図である。
【発明を実施するための形態】
【００１４】
以下、添付図面を参照しながら本発明を実施形態に基づいて説明するが、本発明はかかる実施形態のみに限定されるものではない。
【００１５】
図１に、本発明の一実施形態に係る面状構造体Ｋを概略図で示す。
【００１６】
面状構造体Ｋは、図１に示すように、多数のピクセル１を所望形状や所望模様を形成するよう着脱可能にアレンジしてなるものとされ、外壁の外側に配設される。つまり、面状構造体Ｋは、面状構造体Ｋと外壁との間に中間領域を形成してなるものとされる。なお、面状構造体Ｋは、中間領域を形成することなく外壁に密着させて設けられてもよい。
図１に示す例においては、黒のピクセル１は非透光性とされ、白のピクセル１は透光性とされる。なお、図中の白い部分は、ピクセルなしとされて風が通り抜けるようにされてもよい。
【００１７】
ピクセル１は、全てが同サイズの正方形板とされる。ピクセル１のサイズは具体的には、３０ｃｍ−４０ｃｍとされ、人が両手で直脱できるようにされている。
【００１８】
非透光性とされたピクセル１は、着色されていてもよく、また模様が描かれていてもよい。同様に、透光性とされピクセル１も、着色されていてもよく、また模様が描かれていてもよい
ピクセル１は、具体的には、図２に示すように、丸棒２を格子状に形成してなるピクセル取付フレーム３に取り付けられる。図３（ａ）に、かかる構成とされたピクセル取付フレーム３におけるピクセル１の取付方の一例を示す。
【００１９】
図３（ａ）に示す例においては、ピクセル１は下端部の内側(外壁に面する側)に段部１ａを形成するとともに上端部の外側に段部１ｂを形成し、上下のピクセル１の段部１ａ，１ｂでピクセル取付フレーム３の水平部材３ａを挟み込むようにして、ピクセル取付フレーム３にピクセル１を取り付けるようにしてなるものとされる。なお、図３（ｂ）に示すように、接続片４をビス留めすることにより上下のピクセル１を接続してもよい。
【００２０】
しかして、かかる構成とされた面状構造体Ｋにおいては、図４に示すように、親子でピクセル１の取り付けをなすことができるので、親子のコミュニケーションの促進が図られるという利点もある。
【００２１】
図５および図６に、かかる構成とされた面状構造体Ｋの設置例を示す。
【００２２】
図５は、面状構造体Ｋが一階のテラスの外縁および二階のベランダの手摺部に設置された例を示す。図５に示す例においては、テラスは面状構造体Ｋにより夏の日差しが遮られるので、夏でもテラスでの家族だんらんを実現できる。また、冬には面状構造体Ｋにより外気を遮断しながら日差しを取り入れることができるので、ベランダをサンルームとなしえる。なお、図５中、破線が面状構造体Ｋを示す。
【００２３】
図６は、面状構造体Ｋがテラスの外縁に設置された例を示す。
【００２４】
このように、本実施形態によれば、夏は非透光性のピクセル１を多用して面状構造体Ｋを日除けとすることができ、その逆に冬は透光性のピクセル１を多用して中間領域をサンルームのようにすることができる。また、夏にはピクセル１を取り付けない領域を設けて風の通り道を形成することもでき、それにより夕涼みなども楽しむことができる。
【００２５】
その上、ピクセル１は模様を形成するようにアレンジすることができるので、季節に応じて建物外観の装飾を手軽にしかも大胆に変更できる。
【００２６】
以上、本発明を実施形態に基づいて説明してきたが、本発明の適用は本実施形態のみに限定されるものではなく、種々改変が可能である。
【００２７】
例えば、本実施形態では本発明を戸建住宅に適用した場合を例に取り説明してきたが、本発明の適用は戸建住宅のみに限定されるものではなく、ビルや商店街などにも適用が可能である。
【００２８】
また、図７に示すように、ピクセル１が透孔１ｃを有するパンチングメタルピクセルとされてもよい。あるいは、ピクセル１が太陽電池パネルや蓄光パネルに形成されてもよい。
【産業上の利用可能性】
【００２９】
本発明は建築産業や住宅産業に適用できる。
【符号の説明】
【００３０】
Ｋ      面状構造体
１      ピクセル
１ａ    段部
１ｂ    段部
１ｃ    透孔
２      丸棒
３      ピクセル取付フレーム
３ａ    水平部材
４      接続片
【図１】
2014190003.tif 000003
【図２】
2014190003.tif 000004
【図３】
2014190003.tif 000005
【図４】
2014190003.tif 000006
【図５】
2014190003.tif 000007
【図６】
2014190003.tif 000008
【図７】
2014190003.tif 000009